(57)【特許請求の範囲】
【請求項１】
不純物を処理する水処理装置を用いた水処理方法であって、
（ａ）前記水処理装置を準備し、
前記水処理装置は、
光触媒粒子を含有するスラリー液を貯留する第１の槽と、
前記光触媒粒子に紫外光を照射する光源と、
流路と、
前記流路を介して前記第１の槽と接続され、第一室および第二室をその内部に具備した第２の槽と、
前記第一室を減圧する濾過ポンプと、
前記第１の槽における前記光触媒粒子の濃度を測定する触媒濃度測定部と、
前記第一室の圧力を測定する第１の圧力計と、
前記第二室の圧力を測定する第２の圧力計と、
空気を供給するコンプレッサーと、
を備え、
ここで、
前記第２の槽は、膜を具備し、
前記第一室が前記第二室に囲まれるように、前記膜が第一室および第二室の間の境界を形成しており、
前記膜の少なくとも一部は濾過膜から形成されており、
（ｂ）前記第１の槽に不純物を含む水溶液を導入し、
（ｃ）前記光源により前記光触媒粒子に紫外光を照射し、前記水溶液を、前記不純物が処理された第１処理済水にし、
（ｄ）第１の流量で前記コンプレッサーから前記第２槽に前記空気を供給し、かつ前記濾過ポンプにより前記第一室を減圧しながら、前記第１処理済水を前記膜で濾過し、前記第１処理済水を前記膜で留められる前記光触媒粒子と、前記膜を通過した第２処理済水とに分離し、ここで
前記第２処理済水は、前記光触媒粒子を含まず、かつ
前記第２処理済水は、前記第１室に含まれ、
（ｅ）第１の槽における前記光触媒粒子の濃度、前記第一室の圧力、および前記第二室の圧力を測定し、
（ｆ）前記光触媒粒子の濃度が第１の閾値以下であり、かつ、前記第一室の圧力および第二室の圧力の差が第２の閾値より大きいという第１条件が充足されるかどうかを判定し、
（ｇ）前記第１条件が充足された場合には、前記第１流量以上の第２流量で前記コンプレッサーから前記第２の槽に前記空気を供給する
工程を具備する方法。
【請求項２】
請求項１に記載の方法であって、
前記第２流量は前記第１流量と同じであって、
工程（ｇ）では、前記第一室は減圧されない、水処理方法。
【請求項３】
請求項１に記載の方法であって、
工程（ｆ）において前記第１条件が充足されない場合には、工程（ｅ）および工程（ｆ）が繰り返される、水処理方法。
【請求項４】
請求項１に記載の方法であって、
（ｆ２）前記光触媒粒子の濃度が第１の閾値以下であり、かつ、前記第一室の圧力および第二室の圧力の差が第２の閾値以下であるという第２条件が充足されるかどうかを工程（ｅ）の後に判定する工程
をさらに具備する、水処理方法。
【請求項５】
請求項１に記載の方法であって、
（ｆ３）前記光触媒粒子の濃度が第１の閾値より大きく、かつ、前記第一室の圧力および第二室の圧力の差が第２の閾値より大きいという第３条件が充足されるかどうかを工程（ｅ）の後に判定する工程
をさらに具備する、水処理方法。
【請求項６】
請求項１に記載の水処理方法であって、
前記水処理装置は、さらに、前記第２処理済水を排出する際の第２処理済水の流量を測定する流量計を備え、
前記流量計から流量に基づいて、前記流量が一定になるように、前記濾過ポンプを制御する、水処理方法。
【請求項７】
不純物を含有する水溶液と、前記不純物を処理する光触媒粒子を含有するスラリー液とを貯留するための第１の槽であって、前記光触媒粒子は、前記不純物を処理することにより前記水溶液を第１処理済水にする第１の槽と、
前記光触媒粒子に紫外光を照射する光源と、
流路と、
前記流路を介して前記第１の槽と接続され、第一室および第二室をその内部に具備した第２の槽と、
前記第一室を減圧する濾過ポンプと、
前記第１の槽における前記光触媒粒子の濃度を測定する触媒濃度測定部と、
前記第一室の圧力を測定する第１の圧力計と、
前記第二室の圧力を測定する第２の圧力計と、
空気を供給するコンプレッサーと、
制御部と
を具備し、
ここで、
前記第２の槽は、膜を具備し、
前記第一室が前記第二室に囲まれるように、前記膜が第一室および第二室の間の境界を形成しており、
前記膜の少なくとも一部は濾過膜から形成されており、
前記制御部は、
第１の槽における前記光触媒粒子の濃度、前記第一室の圧力、および前記第二室の圧力を取得し、
前記光触媒粒子の濃度が第１の閾値以下であり、かつ、前記第一室の圧力および第二室の圧力の差が第２の閾値より大きいという第１条件が充足されるかどうかを判定し、
前記第１条件が充足された場合には、前記第１流量以上の第２流量で前記コンプレッサーから前記第２の槽に前記空気を供給する動作信号を出力する、
水処理装置。
【請求項８】
請求項７に記載の水処理装置であって、
前記制御部は、前記第１条件が充足されない場合には、前記取得および前記判定を繰り返す、水処理装置。
【請求項９】
不純物を含有する水溶液と、前記不純物を処理する光触媒粒子を含有するスラリー液とを貯留するための第１の槽であって、前記光触媒粒子は、前記不純物を処理することにより前記水溶液を第１処理済水にする第１の槽と、
前記光触媒粒子に紫外光を照射する光源と、
流路と、
前記流路を介して前記第１の槽と接続され、第一室および第二室をその内部に具備した第２の槽と、
前記第一室を減圧する濾過ポンプと、
前記第１の槽における前記光触媒粒子の濃度を測定する触媒濃度測定部と、
前記第一室の圧力を測定する第１の圧力計と、
前記第二室の圧力を測定する第２の圧力計と、
空気を供給するコンプレッサーと、
制御部と
を具備し、
ここで、
前記第２の槽は、膜を具備し、
前記第一室が前記第二室に囲まれるように、前記膜が第一室および第二室の間の境界を形成しており、
前記膜の少なくとも一部は濾過膜から形成されており、
前記制御部は、
第１の槽における前記光触媒粒子の濃度、前記第一室の圧力、および前記第二室の圧力を取得し、
前記光触媒粒子の濃度、前記第一室の圧力、および前記第二室の圧力に基づいて、前記光触媒粒子の交換に関する情報または前記濾過膜の再生に関する情報を出力する、
水処理装置。
【請求項１０】
請求項９に記載の水処理装置であって、
前記制御部は、
第１時間において前記光触媒粒子の濃度、前記第一室の圧力、および前記第二室の圧力を取得し、
前記第１時間から所定時間後の第２時間において前記光触媒粒子の濃度、前記第一室の圧力、および前記第二室の圧力をさらに取得し、かつ
前記第１時間および前記第２時間において取得された前記光触媒粒子の濃度、前記第一室の圧力、および前記第二室の圧力に基づいて、前記光触媒粒子の交換に関する情報または前記濾過膜の再生に関する情報を出力する、水処理装置。
【請求項１１】
請求項９に記載の水処理装置であって、
前記制御部は、
前記光触媒粒子の濃度が第１の閾値以下であり、かつ、前記第一室の圧力および第二室の圧力の差が第２の閾値以下であるという第２条件が充足されるかどうかを判定し、かつ
前記第２条件が充足された場合には、前記光触媒粒子の交換に関する情報を出力する、水処理装置。
【請求項１２】
請求項９に記載の水処理装置であって、
前記制御部は、
前記光触媒粒子の濃度が第１の閾値より大きく、かつ、前記第一室の圧力および第二室の圧力の差が第２の閾値より大きいという第３条件が充足されるかどうかを判定し、かつ
前記第３条件が充足された場合には、前記濾過膜の再生に関する情報を出力する、水処理装置。
【請求項１３】
請求項７に記載の水処理装置であって、さらに、
前記第２処理済水を排出する際の流量を測定する流量計と、
前記流量計から流量を受け付け、前記流量が一定になるように、前記濾過ポンプを制御する濾過ポンプ制御部とを備える、水処理装置。
【発明の詳細な説明】
【技術分野】
【０００１】
本発明は、光触媒粒子を用いた水処理方法、水処理装置およびプログラムに関する。
【背景技術】
【０００２】
紫外線照射により酸化チタンが強い酸化力を示すことから、近年では、二酸化チタンの微粒子を光触媒として利用した水処理装置が提案されている（例えば特許文献１）。
【０００３】
特許文献１では、被処理水中に二酸化チタン等の微粒子を懸濁させて紫外線ランプの周囲を通過させることで殺菌処理を行える水処理装置について開示されている。
【先行技術文献】
【特許文献】
【０００４】
【特許文献１】国際公開第２０１３／１８７０２８号
【発明の概要】
【発明が解決しようとする課題】
【０００５】
しかしながら、上記従来技術では、水処理後の水中に含まれる二酸化チタン微粒子等を分離、回収することについて記載されているものの、水処理装置を連続運転させた場合に水処理の効率が低下してしまうことに対する処理等に関しては検討されていない。
【０００６】
そのため、上記従来技術では、水処理の効率低下の原因を特定し、その原因に応じた水処理機能の適切な回復動作を行うことができないとう課題がある。
【課題を解決するための手段】
【０００７】
前記従来の課題を解決するために、本発明の一態様に係る水処理方法は、
不純物を処理する水処理装置を用いた水処理方法であって、
（ａ）  前記水処理装置を準備し、
前記水処理装置は、
光触媒粒子を含有するスラリー液を貯留する第１の槽と、
前記光触媒粒子に紫外光を照射する光源と、
流路と、
前記流路を介して前記第１の槽と接続された第２の槽と、
前記第一室を減圧する濾過ポンプと、
前記第１の槽における前記光触媒粒子の濃度を測定する触媒濃度測定部と、
前記第一室の圧力を測定する第１の圧力計と、
前記第二室の圧力を測定する第２の圧力計と、
空気を供給するコンプレッサーと、
を備え、
ここで、
前記第２の槽は、膜を具備し、
前記第２の槽は、第一室および第二室をその内部に具備し、
前記第一室が前記第二室に囲まれるように、前記膜が第一室および第二室の間の境界を形成しており、
前記膜の少なくとも一部は濾過膜から形成されており、
（ｂ）  前記第１の槽に不純物を含む水溶液を導入し、
（ｃ）  前記光源により前記光触媒粒子に紫外光を照射し、前記水溶液を、前記不純物が処理された第１処理済水にし、
（ｄ）  第１の流量で前記コンプレッサーから前記第２槽に前記空気を供給し、かつ前記濾過ポンプにより前記第一室を減圧しながら、前記第１処理済水を前記膜で濾過し、前記第１処理済水を前記膜で留められる前記光触媒粒子と、前記膜を通過した第２処理済水とに分離し、ここで
前記第２処理済水は、前記光触媒粒子を含まず、かつ
前記第２処理済水は、前記第１室に含まれ、
（ｅ）  第１の槽における前記光触媒粒子の濃度、前記第一室の圧力、および前記第二室の圧力を測定し、
（ｆ）  前記光触媒粒子の濃度が第１の閾値以下であり、かつ、前記第一室の圧力および第二室の圧力の差が第２の閾値より大きいという第１条件が充足されるかどうかを判定し、
（ｇ）  前記第１条件が充足された場合には、前記第１流量以上の第２流量で前記コンプレッサーから前記第２の槽に前記空気を供給する
工程を具備する。
【発明の効果】
【０００８】
本発明の水処理方法等によれば、触媒濃度と膜間差圧とを測定することにより、水処理装置を連続運転させる際のエラーを効率的に判定し、適切な回復動作処理を行うことができる。
【図面の簡単な説明】
【０００９】
【図１】実施の形態に係る水処理装置の模式断面図を示す図
【図２】実施の形態における触媒濃度測定部の機能構成の一例を示すブロック図
【図３】実施の形態における回復動作処理部の機能構成の一例を示すブロック図
【図４】実施の形態における水処理装置の動作フローの概略を示す図
【図５】実施の形態における水処理装置の水処理の動作フローを示す図
【図６】実施の形態における水処理装置のエラー判定処理の詳細動作フローを示す図
【図７】実施の形態における水処理装置のエラーモードとその回復動作処理とを示す図
【図８】実施の形態における水処理装置内の触媒濃度と流量との関係を示す図
【図９】図８に示す関係を算出するために用いた関係式を示す図
【図１０】濾過膜でのケーク層形成状態を示す図
【図１１】実施の形態における水処理装置のエラーモード判定表を示す図
【図１２】実施の形態における水処理装置のエラー判定フローの別の一例を示す図
【発明を実施するための形態】
【００１０】
（本発明の基礎となった知見）
水処理装置において、水処理の効率が低下する複数の要因がある。例えば、光触媒の劣化、光触媒の濾過膜への堆積などがある。本発明者らは、水処理装置が水処理を行っている間でも、水処理の効率の低下を抑制し、かつ複数の要因から水処理の効率低下を特定し、適切な改善処理（回復動作処理）を行う水処理装置を見出した。特許文献１には、水処理装置が水処理中に、水処理の効率が低下する複数の要因を決定する必要性については開示されていない。
【００１１】
（実施の形態）
［水処理装置１の構成］
図１は、本実施形態に係る水処理装置１の模式断面図である。図１に示す水処理装置１は、光反応槽２と、分離槽３と、触媒濃度測定部４と、圧力計５と、回復動作処理部６（不図示）と、流路７と、返送路８と、コンプレッサー９と、光源２１と、濾過膜３１と、循環ポンプ７１と、濾過ポンプ８１とを備える。
【００１２】
＜光反応槽２＞
光反応槽２は、図１に示すように、光源２１と水位計２２とを有する。また、光反応槽２は、汚染水導入口２３と、流路７に接続されている第１の排出口２４と、返送路８に接続されている第１の導入口２５とを有する。光反応槽２は、第１の槽とも表記される。
【００１３】
本実施の形態では、光反応槽２は、光触媒粒子を含有するスラリー液を貯留する。また、光反応槽２は、例えばチューブポンプなどの導入ポンプ１１を用いて汚染水導入口２３から、不純物を含有するスラリー液すなわち汚染水が導入される。本明細書における不純物は、飲料水として、人に有害な物質を意味する。不純物は、例えば３価ヒ素または６価クロムを含む金属、医薬品または農薬に含まれる有機物または微生物を含む物質である。汚染水は不純物が溶解されているスラリー液である。
【００１４】
光触媒粒子は、例えば二酸化チタン、または、ゼオライトなどの粒子に結合されている二酸化チタンである。光触媒粒子は、光が照射されることで起こる光触媒反応によって汚染水に含まれる不純物を処理する。より具体的には、光触媒粒子は、光反応槽２に導入されるスラリー液（汚染水）に含有される不純物を処理して、スラリー液（汚染水）を第１処理済水にする。なお、第１処理済水は、光触媒粒子と処理された不純物とを含む水溶液であり、第１の排出口２４から流路７に排出される。
【００１５】
ここで、光触媒粒子の光触媒反応について、詳細に説明する。二酸化チタンに紫外線の波長範囲を有する光が照射されると、二酸化チタンにおいて励起電子と正孔とが生成され、さらに正孔と水分子とが反応することで強い酸化力を持つＯＨラジカル（活性酸素）が生成される。そして、生成された励起電子や活性酸素は、不純物との酸化還元反応を引き起こすため、医薬品または農薬に含まれる有機物や微生物などの有害物質を分解することができ、有害金属を除去され易い状態に変化させることができる。有害金属を除去され易い状態に変化させる一例としては、生成された活性酸素により、３価ヒ素を５価ヒ素にして吸着され易い状態にしたり、生成された励起電子により６価クロムを３価クロムにして沈殿させたりすることが挙げられる。このようにして、光触媒粒子は、光が照射されることで起こる光触媒反応によって不純物を処理することができる。なお、有害金属は、除去され易い状態に変化された後（処理後）に、別の工程において吸着、沈殿などの方法によって除去される。
【００１６】
また、光反応槽２は、第１の導入口２５から分離槽３の濃縮水すなわち第１処理済水から第２処理済水が分離されたスラリー液であって光触媒粒子の濃度が高まったスラリー液が導入（返送）される。
【００１７】
＜光源２１＞
光源２１は、例えば低圧水銀ランプ、中圧水銀ランプ、高圧水銀ランプ、エキシマランプ、キセノンランプ、太陽光、ブラックライト、またはＬＥＤである。
【００１８】
本実施の形態では、光源２１は、図１に示すように、光反応槽２の内部に配置され、光反応槽２の上面から下面まで続く円柱形状を有する。光源２１は、例えば光触媒粒子に紫外光を照射する。より具体的には、光源２１は、光反応槽２に含まれる光触媒粒子に、紫外線の波長範囲を有する光を出射する。紫外線の波長範囲は、例えば２００ｎｍ以上４００ｎｍ以下である。光源２１は、単色光および連続光のいずれを出力しても良い。
【００１９】
なお、光源２１は、光反応槽２の内部に配置される場合に限らない。光源２１は、光反応槽２の外部に配置されてもよい。この場合、光源２１は、光反応槽２の材料を透過して、光反応槽２の内部に位置する光触媒粒子に向かって光を出射できればよい。
【００２０】
＜分離槽３＞
分離槽３は、図１に示すように、濾過膜３１と、濾過膜３１で囲まれる第一室と濾過膜３１で囲まれない第二室とを有する。より具体的には、第一室が第二室に囲まれるように、濾過膜３１が第一室および第二室の間の境界を形成している。なお、第一室および第二室の間の境界の全てが、濾過膜３１である必要は無く、少なくとも一部が濾過膜３１であれば良い。分離槽３は、第２の槽とも表記される。また、分離槽３は、流路７と接続されている第２の導入口３２と、返送路８と接続されている第２の排出口３３と、処理後水排出口３４とを有する。分離槽３は、第２の導入口３２および流路７を介して、光反応槽２と接続されている。第１処理済水は、光反応槽２より流路７を介して、第２の導入口３２から分離槽３に導入される。第二室は、第１の処理済水を貯留する。
【００２１】
濾過膜３１は、例えば、中空糸膜または平膜などであり、上述した光触媒粒子よりも小さい径（直径）である複数の孔を有する。濾過膜３１により、分離槽３の内部は、第一室と第二室とに分割される。
【００２２】
第一室は、分離槽３の内部の領域のうち濾過膜３１に囲まれている領域であり、処理後水排出口３４を有する。第二室は、分離槽３の内部の領域のうち第一室および濾過膜３１を除く領域（濾過膜３１で囲まれない領域）であり、第２の導入口３２および第２の排出口３３を有する。
【００２３】
濾過膜３１は、濾過ポンプ８１により第一室が減圧されることにより、第二室に貯留されている第１処理済水を、濾過膜３１で留められる光触媒粒子と、濾過膜３１を通過する第２処理済水であって光触媒粒子を含まない第２処理済水とに分離することができる。つまり、第１処理済水を濾過膜３１で濾過することにより、濾過膜３１で光触媒粒子が留められるので、第一室には濾過膜３１を通過した光触媒粒子を含まない第２処理済水が貯留される。第一室に貯留された第２処理済水は、さらに濾過ポンプ８１により第一室が減圧されることにより、処理後水排出口３４から、水処理装置１の外部に処理後水として排出される。なお、分離槽３の第二室には、濾過膜３１で光触媒粒子が留められるので、光触媒粒子の濃度が高まるスラリー液（濃縮水）が貯留されることになる。そのため、分離槽３では、第２の排出口３３から返送路８に、濃縮水すなわち第１処理済水から第２処理済水が分離されたスラリー液であって光触媒粒子の濃度が高まったスラリー液を排出（返送）する。
【００２４】
このように、分離槽３では、濾過膜３１を用いた濾過を行うことにより、第１処理済水から光触媒の粒子を含まない第２処理済水を取り出すことができる。より具体的には、分離槽３では、濾過膜３１を第二室に貯留された第１処理済水中に浸漬させた状態で、濾過ポンプ８１で濾過膜３１の内側（第一室）を減圧することで、光触媒粒子を含まない第２処理済水を第一室に吸引することができる。第１処理済水に含まれる光触媒粒子の粒径が、濾過膜３１の孔の直径よりも大きいので、光触媒粒子は濾過膜３１を透過できないからである。
【００２５】
＜流路７および返送路８＞
光反応槽２と分離槽３とは、上述したように流路７および返送路８を介して接続されている。
【００２６】
より具体的には、流路７は、光反応槽２の第１の排出口２４と、分離槽３の第２の導入口３２とを接続する。また、流路７には、後述する循環ポンプ７１と循環流量計７２とが配置されている。流路７では、循環ポンプ７１により、光反応槽２の第１の排出口２４から排出された第１処理済水を、分離槽３の第２の導入口３２まで輸送される。
【００２７】
返送路８は、光反応槽２の第１の導入口２５と、分離槽３の第２の排出口３３とを接続する。分離槽３の水位は光反応槽２の水位より高くなるように調整されているので、返送路８を通じて、分離槽３の第２の排出口３３から排出された濃縮水が光反応槽２の第１の導入口２５まで輸送される。
【００２８】
＜循環ポンプ７１＞
循環ポンプ７１は、流路７に配置され、光反応槽２の第１の排出口２４から排出された第１処理済水を分離槽３の第２の導入口３２に導入する。循環ポンプ７１は、例えば、チューブポンプである。チューブポンプは、公知のポンプであり詳細な説明は省略するが、弾力性を有するチューブをローラでしごいて液体を押し出すことができる。
【００２９】
＜濾過ポンプ８１＞
濾過ポンプ８１は、処理後水排出口３４に接続されている流路に配置され、例えば、チューブポンプである。
【００３０】
濾過ポンプ８１は、第一室を減圧することにより、第１処理済水に含有される光触媒粒子を濾過膜３１に留まらせ、かつ、第１処理済水のうち光触媒粒子を含まない第２処理済水に濾過膜３１を通過させる。具体的には、濾過ポンプ８１は、濾過膜３１の内側（第一室）を減圧することで、分離槽３の第二室に貯留される第１処理済水を濾過膜３１で濾過した第２処理済水を第一室に吸引する。また、濾過ポンプ８１は、第一室を減圧し続けていることから、第１室に貯留された第２処理済水は、処理後水排出口３４から、水処理装置１の外部に処理後水として排出される。
【００３１】
本実施の形態では、濾過ポンプ８１は、処理後水排出口３４から排出される処理後水（第２処理済水）の流量が一定になるように圧力を制御する。ここで、例えば、濾過ポンプ８１は、濾過ポンプ制御部を有し、濾過ポンプ制御部は、処理後水排出口３４に接続されている流路に配置され、第２処理済水を排出する際の流量を測定する濾過流量計８２から流量の情報を受け付け（取得し）、流量が一定になるように、自身（濾過ポンプ８１）を制御するとしていてもよい。
【００３２】
＜コンプレッサー９＞
コンプレッサー９は、空気を供給する。本実施の形態では、コンプレッサー９は、運転中、光反応槽２および分離槽３に向けて、第１の流量または第２の流量で、空気を供給する。ここで、第１の流量及び第２の流量は、単位時間当たり流量（Ｌ／ｍｉｎ）を意味する。第２の流量は、第１の流量よりも少なくとも大きければ良い。第１の流量及び第２の流量は、水処理の量など依存して決定される。第１の流量の例は、４Ｌ／ｍｉｎであり、第２の流量の例は、８Ｌ／ｍｉｎである。第１の流量及び第２の流量の詳細は後述される。供給された空気により、光反応槽２および分離槽３の内部に貯留されたスラリー液を撹拌することができる。また、コンプレッサー９は、分離槽３の濾過膜３１に空気を供給することができる。
【００３３】
＜触媒濃度測定部４＞
図２は、本実施の形態における触媒濃度測定部４の機能構成の一例を示すブロック図である。
【００３４】
触媒濃度測定部４は、図１に示すように、光反応槽２に取り付けられ、スラリーの濃度すなわち光反応槽２における光触媒粒子の濃度を測定する。
【００３５】
本実施の形態では、触媒濃度測定部４は、図２に示すように、濃度測定用光源４１と、照度計４２と、算出部４３とを備える。触媒濃度測定部４は、光反応槽２のスラリー液の一部が流入しており、濃度測定用光源４１および照度計４２は、流入するスラリー液を介して対向して配置される。触媒濃度測定部４は、濃度測定用光源４１を、照度計４２に向けて光を照射することにより、照度計４２に、透過光の強度を測定する。
【００３６】
算出部４３は、所定の濃度決定基準を参照し、照度計４２で測定された透過光の強度を用いて、光反応槽２中のスラリーの濃度すなわち光反応槽２における光触媒粒子の濃度を算出する。所定の濃度決定基準の一例は、吸光度と濃度とを対応付けた関係式またはテーブルである。この場合、算出部４３は、透過光の強度と濃度測定用光源４１が出力した光の強度とを用いて吸光度を算出することができるので、算出部４３は、濃度決定基準に含まれる濃度であって算出した吸光度に対応する濃度を算出することができる。また、所定の濃度決定基準のその他の例は、透過光の強度と濃度とを対応付けた関係式またはテーブルである。この場合、算出部４３は、濃度決定基準に含まれる濃度であって、照度計４２で測定された透過光の強度に対応する濃度を算出することができる。
【００３７】
ランベルト・ベールの法則によると、媒質を透過した後の光の強度Ｉは、以下の（式１）で表される。そのため、媒質を透過した後の光の強度Ｉを測定することによって、媒質のモル濃度を知ることができる。つまり、ランベルト・ベールの法則によれば、照度計４２で測定された透過光の強度を測定することによって、光反応槽２における光触媒粒子の濃度を算出することができる。
【００３８】
Ｉ＝Ｉ０・ｅｘｐ（−εｃｌ）    （式１）
【００３９】
ここで、媒質に入射する前の光の強度Ｉ０、モル吸光度係数ε、媒質のモル濃度ｃ、媒質の長さｌである。
【００４０】
＜圧力計５＞
圧力計５は、例えば第１の圧力計および第２の圧力計に該当し、第一室の圧力および第二室の圧力を測定する。本実施の形態では、圧力計５は、図１に示すように、濾過膜３１と濾過ポンプ８１の間の流路に配置され、第一室の圧力および第二室の圧力の差すなわち濾過膜３１にかかる圧力（膜間差圧）を測定する。ここで、圧力計５は、例えば差圧計であり、大気圧との差をモニターする。これは、第二室は大気開放されているので、圧力は大気圧とほぼ等しいからである。例えば大気圧が１００ｋＰａ、第一室の圧力が９０ｋＰａとすると１０ｋＰａの膜間差圧で濾過膜３１は濾過ができることになる。なお、詳細は後述するが、濾過膜３１が劣化すると、濾過をするために、第一室の圧力を８０ｋＰａまで下げて２０ｋＰａの膜間差圧を生じさせることが必要になる。
【００４１】
＜回復動作処理部６＞
図３は、本実施の形態における回復動作処理部６の機能構成の一例を示すブロック図である。
【００４２】
回復動作処理部６は、圧力計５および触媒濃度測定部４と有線または無線で接続され、圧力計５および触媒濃度測定部４それぞれの測定結果を取得することができる。そのため、回復動作処理部６は、図１に示す水処理装置１に取り付けられるとしてもよいし、水処理装置１と離れた位置に設置されるとしてもよい。
【００４３】
本実施の形態では、回復動作処理部６は、図３に示すように、判定部６１と、記憶部６２と、出力部６３とを備える。
【００４４】
＜判定部６１＞
判定部６１は、記憶部６２に記憶されている判定基準を参照する。判定部６１は、触媒濃度測定部４で測定された光触媒粒子の濃度、および圧力計５で測定された第一室の圧力および第二室の圧力の差を取得する。
【００４５】
判定部６１は、取得した光触媒粒子の濃度および第一室の圧力および第二室の圧力の差に基づいて、水処理装置１のエラーモードを判定し、回復動作処理を行うかを判定する。具体的には、判定部６１は、判定基準を参照して、取得した光触媒粒子の濃度が第１の閾値より高いか否かを判定し、かつ、取得した第一室の圧力および第二室の圧力の差が第２の閾値よりも低いか否かを判定し、エラーモードに該当するかを判定する。ここで、第１の閾値は、光反応槽２での汚染水の処理効率の観点から、例えば光反応槽２の光触媒粒子の初期の濃度の半分（０．５倍）程度に設定してもよい。また、第２の閾値は、濾過ポンプ８１の消費電力や安全性の観点を考慮して、第一室の初期の圧力値の２倍程度に設定してもよい。
【００４６】
判定部６１は、例えば、光反応槽２の光触媒粒子の濃度が第１の閾値以下であり、かつ、分離槽３の第一室の圧力および第二室の圧力の差が第２の閾値より大きいと判定した場合には、コンプレッサー９が濾過膜３１に対して空気を供給する動作信号をコンプレッサー９に対して出力する。ここで、判定部６１は、光反応槽２の光触媒粒子の濃度が第１の閾値以下であり、かつ、分離槽３の第一室の圧力および第二室の圧力の差が第２の閾値より大きいと判定した場合、さらに、所定期間後の光反応槽２の光触媒粒子の濃度が第１の閾値以下であり、かつ、所定期間後の分離槽３の第一室の圧力および第二室の圧力の差が第２の閾値より大きいと判定したときに、コンプレッサー９が濾過膜３１に対して空気を供給する動作信号をコンプレッサー９に対して出力するとしてもよい。また、判定部６１は、メモリに記憶される第１の流量及び第２の流量を参照して、コンプレッサー９に出力する動作信号を決定しても良い。
【００４７】
また、判定部６１は、例えば、取得した光反応槽２の光触媒粒子の濃度および分離槽３の第一室の圧力および第二室の圧力の差に基づいて、光触媒粒子の交換に関する情報または濾過膜３１の再生に関する情報を出力すべきかどうかを判定するとしてもよい。なお、判定部６１は、第１時間および当該第１時間から所定時間後の第２時間において取得した光触媒粒子の濃度および第一室の圧力および第二室の圧力の差に基づいて、光触媒粒子の交換に関する情報または濾過膜３１の再生に関する情報を出力すべきかどうかを判定してもよい。
【００４８】
より具体的には、判定部６１は、取得した光反応槽２の光触媒粒子の濃度が第１の閾値以下であり、かつ、分離槽３の第一室の圧力および第二室の圧力の差が第２の閾値以下であると判定した場合には、光触媒粒子の交換が必要であり、光触媒粒子の交換に関する情報を出力すべきと判定してもよい。この場合、判定部６１は、出力部６３に、光触媒粒子の交換に関する情報を出力させる。また、判定部６１は、取得した光反応槽２の光触媒粒子の濃度が第１の閾値より大きく、かつ、分離槽３の第一室の圧力および第二室の圧力の差が第２の閾値より大きいと判定した場合には、濾過膜３１の再生が必要であり、濾過膜３１の再生に関する情報を出力すべきと判定してもよい。この場合、出力部６３は、濾過膜３１の再生に関する情報を出力させる。
【００４９】
＜記憶部６２＞
記憶部６２は、判定部６１の判定基準を記憶する。なお、記憶部６２は、回復動作処理部６すなわち水処理装置１に備えられる場合に限らず、水処理装置１の外部にあるとしてもよい。
【００５０】
＜出力部６３＞
出力部６３は、光触媒粒子の交換に関する情報または濾過膜３１の再生に関する情報を出力する。本実施の形態では、出力部６３は、判定部６１の判定結果に応じて、判定部６１が出力すべきと判定した光触媒粒子の交換に関する情報または濾過膜３１の再生に関する情報を出力する。ここで、出力部６３は、例えばディスプレイまたはスピーカである。つまり、出力部６３は、表示または音声により、光触媒粒子の交換に関する情報または濾過膜３１の再生に関する情報を表示または発音する。
【００５１】
［水処理装置１の動作］
次に、以上のように構成された水処理装置１の動作について説明する。
【００５２】
＜水処理のフロー＞
まず、図４および図５を用いて、水処理装置１の水処理フローについて、説明する。
【００５３】
図４は、本実施の形態における水処理装置１の動作フローの概略を示す図である。図５は実施の形態における水処理装置の水処理フローの詳細動作を示す図である。
【００５４】
まず、水処理装置１が準備される。具体的には、水処理装置１の使用者により購入されることを意味する。
【００５５】
次に、光反応槽２および分離槽３に光触媒粒子を含有するスラリー液が投入される（Ｓ１）。スラリー液が投入されると、コンプレッサー９を運転し、光反応槽２および分離槽３に空気を送り、スラリー液を撹拌する。ここで、コンプレッサー９は、光反応槽２および分離槽３に向けて、第１の流量で、空気を送る。続いて、循環ポンプ７１をＯＮにし、スラリー液を光反応槽２の内部で循環させる。また、光源２１をＯＮにし、汚染水が光反応槽２に導入された際にすぐに光触媒による酸化還元反応が発生するようにスタンバイする。
【００５６】
次に、光反応槽２に、汚染水が導入される（Ｓ２）。具体的には、汚染水は、例えば汚染水を貯留する外部の容器から光反応槽２の汚染水導入口２３に、導入ポンプ１１により導入される。
【００５７】
次に、水処理装置１は、光源２１がＯＮであり光反応槽２に貯留するスラリー液に紫外線が照射されているので、汚染水に含まれる不純物を処理する水処理を行う（Ｓ３）。より詳細には、図５に示すように、まず、水処理装置１は、光源２１により光反応槽２の光触媒粒子に紫外光を照射し、光触媒粒子の光触媒反応により、光反応槽２に導入された不純物を含有する汚染水を、不純物を処理した第１処理済水にする（Ｓ３１）。第１処理済水は、循環ポンプ７１によって分離槽３に送られる。続いて、水処理装置１は、濾過ポンプ８１により第一室が減圧されることにより、光反応槽２から排出され分離槽３に導入された第１処理済水を、濾過膜３１で留められる光触媒粒子と、濾過膜３１を通過する第２処理済水であって光触媒粒子を含まない第２処理済水とに分離する（Ｓ３２）。続いて、水処理装置１は、第２処理済水を処理後水として水処理装置１の外部に排出する（Ｓ３３）。分離槽３に残される光触媒粒子の濃度が高まったスラリー液（濃縮水）は返送路８を通って光反応槽２へ返送される。なお、ステップＳ３１〜Ｓ３３の処理の詳細は上述したのでここでの説明は省略する。
【００５８】
次に、水処理装置１は、回復動作処理が必要かを判定する（Ｓ４）。
【００５９】
ステップＳ４において、回復動作処理が必要でないと判定されれば（Ｓ４でＮｏ）、ステップＳ２の処理に戻る。なお、この場合、ステップＳ２およびステップＳ３の処理を止めることなく継続させることで、連続的な水処理を行うことができる。
【００６０】
一方、ステップＳ４において、回復動作処理が必要であると判定されれば（Ｓ４でＹｅｓ）、回復動作処理を行う（Ｓ５）。ステップＳ４のエラー判定処理は、上述した判定部６１が行う。
【００６１】
＜エラー判定処理と回復動作処理＞
次に、図６および図７を用いて、図４に示すステップＳ４の水処理装置１のエラー判定処理とステップＳ５に示す回復動作処理の詳細動作フローについて説明する。
【００６２】
図６は、本実施の形態における水処理装置１のエラー判定処理の詳細動作フローを示す図である。図７は、本実施の形態における水処理装置１のエラーモードとその回復動作処理とを示す図である。
【００６３】
ステップＳ４において、図６に示すように、まず、水処理装置１は、光反応槽２における光触媒粒子の濃度を測定し（Ｓ４１）、分離槽３の第一室の圧力および第二室の圧力の差すなわち濾過膜３１にかかる圧力（膜間差圧）を測定する（Ｓ４２）。なお、ステップＳ４１とステップＳ４２との処理の順は反対でも同時でも構わない。
【００６４】
次に、水処理装置１は、光反応槽２の光触媒粒子の濃度、および、分離槽３の第一室の圧力および第二室の圧力の差に基づいて、水処理装置１のエラーモードを判定する（Ｓ４３）。そして、エラーモード１〜３に該当する場合には（Ｓ４４でＹｅｓ）、回復動作処理が必要と判定し（図４のＳ４でＹｅｓ）、エラーモードに応じた回復動作処理を行う（Ｓ５）。一方、エラーモード１〜３に該当しない場合には（Ｓ４４でＮｏ）、水処理装置１は、運転を継続する（Ｓ４５）。
【００６５】
ここで、図７を用いて、エラーモード１〜エラーモード３および回復動作処理について説明する。図７では、ステップＳ４１において測定した光反応槽２の光触媒粒子の濃度をｃ、ステップＳ４２で測定した分離槽３の第一室の圧力および第二室の圧力の差（膜間差圧）を△ｐとも記載している。また、第１の閾値をＶｃｔとし、第２の閾値をＶｐｔとも記載している。
【００６６】
図７に示すように、エラーモード１は、光反応槽２の光触媒粒子の濃度（ｃ）が第１の閾値より大きい（ｃ＞Ｖｃｔ）かつ、分離槽３の第一室の膜間差圧（△ｐ）が第２の閾値より大きい（△ｐ＞Ｖｐｔ）と判定した場合に該当する（条件１に相当）。エラーモード１の場合、水処理装置１は、濾過膜３１の交換または再生を警告する旨の動作信号を出力部６３に出力する。そして、ステップＳ５において、出力部６３は、回復動作処理として、濾過膜３１の交換または再生に関する情報を出力する。なお、水処理装置１は運転を継続する。
【００６７】
エラーモード２は、光反応槽２の光触媒粒子の濃度（ｃ）が第１の閾値以下（ｃ≦Ｖｃｔ）であり、かつ、分離槽３の第一室の膜間差圧（△ｐ）が第２の閾値以下（△ｐ≦Ｖｐｔ）と判定した場合に該当する（第３条件に相当）。エラーモード２の場合、水処理装置１は、光触媒粒子の交換または再生を警告する旨の動作信号を出力部６３に出力する。そして、ステップＳ５において、出力部６３は、回復動作処理として、光触媒粒子の交換または再生に関する情報を出力する。なお、この情報を出力後、水処理装置１は運転を停止する。
【００６８】
エラーモード３は、光反応槽２の光触媒粒子の濃度（ｃ）が第１の閾値以下（ｃ≦Ｖｃｔ）であり、かつ、分離槽３の第一室の膜間差圧（△ｐ）が第２の閾値より大きい（△ｐ＞Ｖｐｔ）と判定した場合に該当する（第４条件に相当）。エラーモード３の場合、水処理装置１は、コンプレッサー９に濾過膜３１に向けて空気を供給する動作信号を出力する。そして、ステップＳ５において、コンプレッサー９は、回復動作処理として、間欠動作を実行する。すなわち、コンプレッサー９は、分離槽３の濾過膜３１に向けて、空気を一定期間ごとに供給する。なお、コンプレッサー９の回復動作処理の間、濾過ポンプ８１は運転を止める。このとき、コンプレッサー９から濾過膜３１に供給される空気の流量の例は、第１の流量である。また、濾過ポンプ８１の運転停止中は、導入ポンプ１１も運転を止める。これにより水処理装置１に貯留するスラリー液の総量が変化することを防ぐ。そして、所定の時間が経過したら導入ポンプ１１および濾過ポンプ８１の運転を再開する。
【００６９】
または、コンプレッサー９は、分離槽３の濾過膜３１に向けて、第２の流量で、空気を供給し、かつ濾過ポンプ８１は、第一室を減圧する。言い換えると、濾過ポンプ８１は運転を停止しない。第２の流量は、第１の流量（上述Ｓ３）よりも大きい。Ｓ５に示す回復動作時に供給される流量は、図５に示す水処理時に供給される流量よりも大きい。これにより、ケーク層を除去する効果を向上させる。
【００７０】
エラーモード０は、エラーモード１〜エラーモード３に該当しない場合で、エラーモードではない場合に該当する。より具体的には、光反応槽２の光触媒粒子の濃度（ｃ）が第１の閾値より大きい（ｃ＞Ｖｃｔ）であり、かつ、分離槽３の第一室の膜間差圧（△ｐ）が第２の閾値以下（△ｐ≦Ｖｐｔ）と判定した場合に該当する。この場合、水処理装置１は、回復動作処理を行わず、運転を継続する。
【００７１】
＜触媒濃度と流量との関係＞
本実施の形態の水処理装置１は、光触媒粒子をスラリー液に分散させた状態で、光触媒粒子に励起光を照射する。これにより、光触媒を装置の側壁などに固定して使う方式に比べ、１０倍以上の高い反応効率が得られる。
【００７２】
水処理装置１内に分散させる光触媒粒子は濃度が低くなると光触媒反応の発生数が減り反応効率が悪化してしまう。一方で、水処理装置１内に分散させる光触媒粒子は濃度が高くなりすぎてもスラリー液の光透過率が低下することにより反応効率が悪化する。したがって、水処理装置１内の水量を一定にするために、導入ポンプ１１による流量（導入流量）、循環ポンプ７１による流量（循環流量）および濾過ポンプ８１による流量（濾過流量）には満たすべき関係がある。以下それについて図８および図９を用いて説明する。
【００７３】
図８は、本実施の形態における水処理装置１内の触媒濃度と流量との関係を示す図である。図９は、図８に示す関係を算出するために用いた関係式を示す図である。
【００７４】
動作中の水処理装置内の水量を一定にするために、導入ポンプ１１による流量ｖ１と濾過ポンプ８１による流量ｖ３は等しくする必要がある（ｖ１＝ｖ３）。分離槽３から光反応槽２への循環ポンプ７１による流量ｖ４は、ｖ４＝ｖ２−ｖ３≧０である。なお、図１に示すように、導入ポンプ１１による流量ｖ１は、導入流量計１２で計測され、濾過ポンプ８１による流量ｖ３は、濾過流量計８２で計測され、循環ポンプ７１による流量ｖ４は、循環流量計７２で計測される。
【００７５】
ここで、水処理装置１内全体の光触媒濃度をｎ、光反応槽２の光触媒濃度をｎ１、分離槽３の光触媒濃度をｎ２とする。水処理装置１内全体の光触媒濃度は一定であること、および、定常状態では光反応槽２と分離槽３の濃度変化は無いことから、下記の（式２）および（式３）が成立する。なお、（式２）および（式３）では、光反応槽２および分離槽３のそれぞれ水量は同じであることを仮定している。
【００７６】
ｎ１＋ｎ２＝２ｎ                  （式２）
ｖ２・ｎ１＝（ｖ２−ｖ３）・ｎ２  （式３）
【００７７】
ここで、（式２）、（式３）から、ｎ１およびｎ２について、下記の（式４）、（式５）、（式６）が得られる。
【００７８】
ｎ１＝２（ａ−１）／（２ａ−１）・ｎ  （式４）
ｎ２＝２ａ／（２ａ−１）・ｎ          （式５）
ａ＝ｖ２／ｖ３≧１                （式６）
【００７９】
（式４）〜（式６）から、水処理装置１の処理量を増やすためには、濾過ポンプ８１による流量ｖ３（濾過流量）を大きくする必要があるが、光反応槽２の触媒濃度ｎ１を一定に保つためには、循環ポンプ７１による流量ｖ２（循環流量）も同じ割合で大きく必要があることがわかる。
【００８０】
光反応槽２では、上述したように、光源２１から二酸化チタンなどの光触媒粒子に紫外光が照射され、ＯＨラジカルなどが発生するので、汚染物質の処理（分解除去）ができる。そして、汚染物質が光反応槽２に存在する滞留時間が長いほど光源２１からの光照射による分解除去率が高い。しかし、水処理装置１の処理量を増やす際に、循環ポンプ７１による流量ｖ２（循環流量）を大きくすると、光反応槽２での滞留時間が短くなり、分解除去率が低下する。これらを鑑みて、本実施の形態の水処理装置１では、図８に示す流量比ａ（＝ｖ２／ｖ３）が２．５付近となるように設定されている。
【００８１】
なお、上述した光反応槽２の光触媒濃度ｎ１は、１ｇ／Ｌ程度に設定される。
【００８２】
（本発明の基礎となった知見）
以下、上述したエラーモード１〜３およびこれらエラーモード１〜３に対応する回復動作処理を得るための基礎になった知見について説明する。
【００８３】
水処理装置１が継続して水処理する場合、水処理の効率が低下する様々な原因がある。以下の３つが水処理の効率が低減する原因の例である。
【００８４】
（Ａ）光触媒粒子が凝集して光反応槽２の底面に溜まること。この場合、底面に溜まった光触媒粒子に応じて、光反応槽２の触媒粒子の濃度（ｃ）は低減する。また、底面に溜まった光触媒粒子は、光触媒反応に寄与しない。したがって、光触媒粒子が凝集して光反応槽２の底面に溜まる場合、光触媒反応による汚染水に含まれる不純物の分解除去率が悪化するので、水処理の効率は低減する。なお、光触媒粒子が凝集して光反応槽２の底面に溜まることは、光反応槽２の触媒粒子の濃度（ｃ）は低減したことにより切り分けることができる。
【００８５】
（Ｂ）濾過膜３１の孔に、第１処理済水に含まれる固体が詰まること。これにより、濾過膜３１は、液体を通過させしづらくなり、第１処理済水から光触媒粒子を分離する能力が低減する。したがって、濾過膜３１の孔に、第１処理済水に含まれる固体が詰まる場合、水処理の効率は低減する。なお、濾過膜３１の孔に固体が詰まることは、濾過膜３１の膜間差圧（分離槽３の第一室の圧力および第二室の圧力の差）が上がったことにより切り分けることができる。
【００８６】
（Ｃ）濾過膜３１の表面に、光触媒粒子の堆積層（ケーク層）が形成されること。これにより、濾過膜３１は、液体を通過させづらくなる。また、形成される光触媒粒子の堆積層（ケーク層）に応じて、分離槽３の光触媒粒子の濃度が低減するので、光反応槽２に返送する光触媒粒子の数が低減し、光反応槽２の触媒粒子の濃度（ｃ）は低減する。したがって、濾過膜３１の表面に、光触媒粒子の堆積層（ケーク層）が形成される場合、光反応槽２の触媒粒子の濃度（ｃ）は低減し、光触媒反応による汚染水に含まれる不純物の分解除去率が悪化するので、水処理の効率は低減する。
【００８７】
このように、水処理の効率低下の原因は、上述の（Ａ）〜（Ｃ）の３つの原因が考えられるが、これらの原因（Ａ）〜（Ｃ）は、光反応槽２の光触媒粒子の濃度（ｃ）だけでは切り分けることができない。そのため、本実施の形態では、光反応槽２の光触媒粒子の濃度（ｃ）に加えて、濾過膜３１の膜間差圧（分離槽３の第一室の圧力および第二室の圧力の差）を利用して切り分ける。以下、では、原因（Ｃ）も、濾過膜３１の膜間差圧（分離槽３の第一室の圧力および第二室の圧力の差）を利用して切り分けられることについて説明する。
【００８８】
図１０は、濾過膜でのケーク層形成状態を示す図である。
【００８９】
水処理装置１では、濾過の進行とともに、濾過膜３１の表面にケーク層と呼ばれる触媒粒子の堆積層が形成される。ケーク層が成長すると、濾過抵抗が増すため、所定の濾過流量を得るために必要な濾過ポンプ８１のポンプパワーは増加する。
【００９０】
単位面積当たりの濾過速度である濾過流束Ｊは、膜間差圧△ｐ、液の粘性η、膜抵抗Ｒｍ、ケーク抵抗Ｒｃを用いて、次の（式７）のように表すことができる。
【００９１】
Ｊ＝△ｐ／η（Ｒｍ＋Ｒｃ）    （式７）
【００９２】
本実施の形態の濾過ポンプ８１では、上述したように濾過流束Ｊが一定になるように制御される。この場合、液の粘性η、および、膜抵抗Ｒｍは、水処理の前後において一定である。よって、圧力計５で測定される膜間差圧△ｐにより、ケーク抵抗Ｒｃが求められる。
【００９３】
また、ケーク抵抗Ｒｃは、ケーク層の厚さδｃに比例して大きくなるので、濾過膜３１の表面にケーク層が形成されると、濾過流束Ｊが低下する。そのため、濾過流束Ｊを一定の値で維持するためには、膜間差圧△ｐを大きくすることが必要になる。このようにして、光反応槽２の光触媒粒子の濃度（ｃ）に加えて、濾過膜３１の膜間差圧（分離槽３の第一室の圧力および第二室の圧力の差）を利用することで、原因（Ｃ）すなわち濾過膜３１の表面に、光触媒粒子の堆積層（ケーク層）が形成されたことが切り分けられる。つまり、本実施の形態の水処理装置１では触媒濃度および膜間差圧を測定することにより、濾過膜３１に形成されるケーク層の状態を知ることができる。なお、濾過ポンプ８１のポンプパワーを増やすと電力効率が悪化してしまう。つまり、濾過流束Ｊを一定に保っている場合、膜間差圧△ｐが低いほど電力効率が良いことを意味する。
【００９４】
また、形成されたケーク層は、濾過膜３１に振動を加えることや、濾過膜表面に流れを発生させることで、濾過膜３１の表面から剥がれ落とすことができる。スラリー中に浸漬した濾過膜３１の場合、空気による撹拌でケーク層を剥がすことがよく知られている。濾過膜３１とケーク層の間の吸引力を低下させるために、濾過ポンプ８１を定期的に止める間欠運転（間欠動作）はよく知られた方法であるが、濾過ポンプ８１が止まっている間は処理ができなくなるため、水処理の効率が低下してしまう。そのため、水処理効率が低下し、かつ、原因（Ｃ）がエラーモードとして特定できた際に、濾過膜３１のケーク層が剥がれやすい状態を作るための回復動作処理としてコンプレッサー９に、分離槽３の内部にエアーを発生させる動作を間欠的に行わせる（間欠動作を行わせる）。それにより、回復動作処理に伴う水処理の効率低下を少なくすることができる。なお、コンプレッサー９の回復動作処理の間、濾過ポンプ８１は運転を止める。また、濾過ポンプ８１の運転停止中は、導入ポンプ１１も運転を止める。これにより水処理装置１に貯留するスラリー液の総量が変化することを防ぐことができる。そして、所定の時間が経過したら導入ポンプ１１および濾過ポンプ８１は、運転を再開する。
【００９５】
一方、上述した原因（Ｂ）すなわち、濾過膜３１の孔に、第１処理済水に含まれる固体が詰まる場合（目詰まりを起す場合）、上記の（式７）における膜抵抗Ｒｍが大きくなり、膜間差圧△ｐが上昇する。この場合、間欠運転をしても目詰まりは解決されない。そのため、膜抵抗Ｒｍを下げるためには薬品などを用いた膜洗浄をおこなう必要がある。したがって、本実施の形態の水処理装置１では、水処理効率が低下し、かつ、原因（Ｂ）がエラーモードとして特定できた際に、回復動作処理として、光触媒粒子の交換または再生に関する情報を出力する。
【００９６】
また、上述した原因（Ａ）すなわち、光触媒粒子の状態が変化し、凝集などにより光触媒粒子が沈降しやすくなると、光触媒粒子が水処理装置１の下部に溜まってしまう。つまり、原因（Ａ）が発生すると、水処理装置１の内部を循環する光触媒粒子の濃度が低下してしまう。この場合も、間欠運転をしても光触媒粒子の濃度低下は解決されない。そのため、光触媒粒子を交換または再生する必要がある。したがって、本実施の形態の水処理装置１では、水処理効率が低下し、かつ、原因（Ａ）がエラーモードとして特定できた際に、回復動作処理として、濾過膜３１の交換または再生に関する情報を出力する。
【００９７】
このように、水処理装置１を連続運転させる際には複数のエラーモードが想定され、これらのエラーモードは、触媒濃度および膜間差圧を測定することによって判定できる。以下、図１１を用いて触媒濃度と膜間差圧の結果とエラーモード判定の関係を説明する。
【００９８】
図１１は、本実施の形態における水処理装置１のエラーモード判定表を示す図である。
【００９９】
すなわち、光反応槽２の光触媒粒子の触媒濃度（ｃ）が、第１の閾値より大きい（ｃ＞Ｖｃｔ）であり、かつ、分離槽３の第一室の膜間差圧（△ｐ）が第２の閾値以下（△ｐ≦Ｖｐｔ）と判定した場合、水処理装置１は正常に運転している（回復動作処理は必要でない）と判定できる（図７のエラーモード０に該当）。
【０１００】
光反応槽２の光触媒粒子の触媒濃度（ｃ）が第１の閾値より大きい（ｃ＞Ｖｃｔ）かつ、分離槽３の第一室の膜間差圧（△ｐ）が第２の閾値より大きい（△ｐ＞Ｖｐｔ）と判定した場合、第１処理済水に含まれる固体が濾過膜３１の孔に詰まり、濾過膜３１に目詰まりを起こし、膜の交換または再生が必要になると判定できる（図７のエラーモード１に該当）。
【０１０１】
光反応槽２の光触媒粒子の触媒濃度（ｃ）が第１の閾値以下（ｃ≦Ｖｃｔ）であり、かつ、分離槽３の第一室の膜間差圧（△ｐ）が第２の閾値以下（△ｐ≦Ｖｐｔ）と判定した場合、光触媒粒子が水処理装置１の下部に沈降し、触媒の交換または再生が必要になると判定できる（図７のエラーモード２に該当）。
【０１０２】
光反応槽２の光触媒粒子の触媒濃度（ｃ）が第１の閾値以下（ｃ≦Ｖｃｔ）であり、かつ、分離槽３の第一室の膜間差圧（△ｐ）が第２の閾値より大きい（△ｐ＞Ｖｐｔ）と判定した場合、ケーク層の成長が進んでおり、ケーク層を剥がす回復動作処理が必要になると判定できる（図７のエラーモード３に該当）。
【０１０３】
［効果等］
以上の説明で明らかなように、本発明の実施の形態における水処理装置によれば、触媒濃度と膜間差圧とを測定することにより、水処理装置を連続運転させる際のエラーを効率的に判定し、連続使用時に水処理効率を維持するためには光触媒粒子の濃度を一定に維持することが必要ための適切な処置をおこなうことが可能になる。
【０１０４】
つまり、本実施の形態の水処理装置１は、流動床の光触媒粒子により汚染水を浄化する光反応槽２と、濾過膜３１により第１処理済水と光触媒粒子を分離する分離槽３を備え、濾過膜３１にかかる圧力差を測定する機構と、光触媒粒子を含有するスラリー液の光透過率を測定する機構とによる、２種類の測定結果から、水処理装置１のエラーモードを判定し、適切な回復動作処理を行う。したがって、触媒濃度と膜間差圧とを測定することにより、水処理装置１を連続運転させる際のエラーを効率的に判定し、適切な回復動作処理を行うことができる。
【０１０５】
なお、図６のステップＳ４４において、水処理装置１は、光反応槽２の光触媒粒子の濃度、および、分離槽３の第一室の圧力および第二室の圧力の差に基づいて、すなわち、一度の測定値に基づいて、水処理装置１のエラーモードを判定するとして説明したが、それに限らない。第１の閾値および第２の閾値の設定によっては、一度の測定値では、図７に示すエラーモード１〜エラーモード３に正しく切り分けられない可能性もある。その場合には、図１２に示すように、所定期間に再度測定した測定値も考慮して、二度の測定値に基づいて、水処理装置１のエラーモードを判定すればよい。以下、図１２を用いて具体的に説明する。
【０１０６】
図１２は、本実施の形態における水処理装置のエラー判定フローの別の一例を示す図である。なお、図６と同様の要素には同一の符号を付しており、詳細な説明は省略する。
【０１０７】
Ｓ４４Ａにおいて、水処理装置１は、光反応槽２の光触媒粒子の濃度、および、分離槽３の第一室の圧力および第二室の圧力の差に基づいて、水処理装置１のエラーモードを判定する。
【０１０８】
一方、Ｓ４４Ａにおいて、エラーモード１〜３に該当する場合には（Ｓ４４ＡでＹｅｓ）、例えば３０分または１時間などの所定期間後にステップＳ４６〜ステップＳ４９の処理を行う。すなわち、水処理装置１は、所定時間経過後、再度、光反応槽２における光触媒粒子の濃度を測定し（Ｓ４６）、所定時間経過後、再度、分離槽３の第一室の圧力および第二室の圧力の差すなわち濾過膜３１にかかる圧力（膜間差圧）を測定する（Ｓ４７）。なお、ステップＳ４６とステップＳ４７との処理の順は反対でも同時でも構わない。続いて、水処理装置１は、光反応槽２の光触媒粒子の濃度、および、分離槽３の第一室の圧力および第二室の圧力の差に基づいて、水処理装置１のエラーモードを判定する（Ｓ４８）。そして、水処理装置１は、エラーモード１〜３に該当する場合には（Ｓ４９でＹｅｓ）、回復動作処理が必要と判定し（図４のＳ４でＹｅｓ）、図７に示したようなエラーモードに応じた回復動作処理を行う（Ｓ５）。
【０１０９】
なお、Ｓ４４ＡまたはＳ４８において、エラーモード１〜３に該当しない場合には（Ｓ４４ＡまたはＳ４９でＮｏ）、図６と同様に、水処理装置１は、運転を継続する（Ｓ４５）。
【０１１０】
以上、本発明の一つまたは複数の態様に係る水処理方法および水処理装置１について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【０１１１】
例えば、上記の実施の形態において、ユニット、デバイスの全部又は一部、又は図２および図３に示されるブロック図の機能ブロックの全部又は一部は、半導体装置、半導体集積回路（ＩＣ）、又はＬＳＩ（large scale integration）を含む一つ又は一つ以上の電子回路によって実行されてもよい。ＬＳＩ又はＩＣは、一つのチップに集積されてもよいし、複数のチップを組み合わせて構成されてもよい。例えば、記憶素子以外の機能ブロックは、一つのチップに集積されてもよい。ここでは、ＬＳＩやＩＣと呼んでいるが、集積の度合いによって呼び方が変わり、システムＬＳＩ、ＶＬＳＩ(very large scale integration)、若しくはＵＬＳＩ(ultra large scale integration) と呼ばれるかもしれない。ＬＳＩの製造後にプログラムされる、Field Programmable Gate Array (FPGA)、またはＬＳＩ内部の接合関係の再構成またはＬＳＩ内部の回路区画のセットアップができるreconfigurable logic deviceも同じ目的で使うことができる。例えば、判定部６１は、プロセッサ及び少なくとも１つのメモリで構成される。少なくとも１つのメモリは、図６に示す処理フローのプログラムが記憶する。プロセッサにより、メモリに記憶されているプログラムが実行される。
【０１１２】
さらに、ユニット、装置、または装置の一部の、全部または一部の機能または操作は、ソフトウエア処理によって実行することが可能である。この場合、ソフトウエアは一つまたは一つ以上のＲＯＭ、光学ディスク、ハードディスクドライブ、などの非一時的記録媒体に記録され、ソフトウエアが、処理装置（processor）によって実行された場合に、ソフトウエアは、ソフトウエア内の特定の機能を、処理装置（processor）と周辺のデバイスに実行させる。システムまたは装置は、ソフトウエアが記録されている一つまたは一つ以上の非一時的記録媒体、処理装置（processor）、および必要とされるハードウエアデバイス、例えばインターフェース、を備えていても良い。
【産業上の利用可能性】
【０１１３】
本発明は、高い反応効率を有し、長期間の連続運転ができる水処理方法、水処理装置およびプログラムに利用できる。
【符号の説明】
【０１１４】
１    水処理装置
２    光反応槽
３    分離槽
４    触媒濃度測定部
５    圧力計
６    回復動作処理部
７    流路
８    返送路
９    コンプレッサー
１１    導入ポンプ
１２    導入流量計
２１    光源
２２    水位計
２３    汚染水導入口
２４    第１の排出口
２５    第１の導入口
３１    濾過膜
３２    第２の導入口
３３    第２の排出口
３４    処理後水排出口
４１    濃度測定用光源
４２    照度計
４３    算出部
６１    判定部
６２    記憶部
６３    出力部
７１    循環ポンプ
７２    循環流量計
８１    濾過ポンプ
８２    濾過流量計
【図１】
0006704170.tif 000002
【図２】
0006704170.tif 000003
【図３】
0006704170.tif 000004
【図４】
0006704170.tif 000005
【図５】
0006704170.tif 000006
【図６】
0006704170.tif 000007
【図７】
0006704170.tif 000008
【図８】
0006704170.tif 000009
【図９】
0006704170.tif 000010
【図１０】
0006704170.tif 000011
【図１１】
0006704170.tif 000012
【図１２】
0006704170.tif 000013